(57)【要約】【課題】十分な強度を備えたプラグ外し補助具を提供すること及びプラグが嵌められて電源が供給される装置の使用者によって組み立てることが可能なプラグ外し補助具を提供すること。【解決手段】基材２１の両面テープ２４及び両面テープ２５を電源プラグ１０のプラグ本体１１の両側面に各々貼り付ける。ついで、基材２１を環状にして、第二挿通孔２３にプラグ端子１３を挿入し、両面テープ２６の剥離紙を剥がして、基材２１の端部をプラグ本体１１の側面に貼り付けられている基材２１上に貼り付けることによりプラグ外し補助具２０が完成する。可搬型プリンタの電源ジャックに嵌め込んだ電源プラグ１０を引き抜く場合には、環状になった基材２１により形成された空間３０に指を入れて引き抜く。【選択図】図４
2010118226.tif 000002
【特許請求の範囲】
【請求項１】
電源が供給される装置に装着されるプラグを取り外すプラグ外し補助具において、
柔軟性を有する帯状体と、
前記帯状体の一端部側に設けられ、前記プラグの本体から突出するプラグ端子を挿通可能な第一挿通孔と、
前記帯状体の他端部側に設けられ、前記プラグ端子を挿通可能な第二挿通孔と、
前記帯状体の前記一端部側を前記他端部側に接着する接着部材と
を備え、
前記第一挿通孔及び前記第二挿通孔に前記プラグ端子を挿入して、前記接着部材により前記帯状体の一端部側を他端部側に接着したときに、指を挿入可能な指掛け部が前記帯状体により形成されることを特徴とするプラグ外し補助具。
【請求項２】
前記帯状体の前記第一挿通孔と前記第二挿通孔との間には、前記プラグ端子を挿通可能な１乃至複数個の第三挿通孔が設けられていることを特徴とする請求項１に記載のプラグ外し補助具。
【請求項３】
前記各挿通孔は、熱処理によりほつれ防止加工がなされていることを特徴とする請求項１又は２に記載のプラグ外し補助具。
【発明の詳細な説明】
【技術分野】
【０００１】
本発明は、プラグ外し補助具に関し、詳細には、電源プラグを装置本体から取り外す場合に当該電源プラグを容易に引き抜くことができるプラグ外し補助具に関する。
【背景技術】
【０００２】
従来、可搬型プリンタに電源を供給する場合には、プリンタの本体に設けられた電源ジャックに電源プラグの端子を嵌め込んでいた。そして、プリンタ本体を運ぶ場合には、当該電源プラグを指でつまんで取り外していた。しかしながら、可搬型プリンタでは、本体保護の為にシリコンゴム製のカバーを装着すると、コネクタの周りが囲まれて、電源プラグが取り外しにくくなるという問題点があった。特に、電源プラグにＬ型コネクタを使った場合には、指でつかみ難く電源プラグが取り外し難かった。
【０００３】
このような問題と同様の問題は、プリント基板上設けられた基板用コネクタから同軸コネクタを引き抜く場合にも生じていた。例えば、プリント基板上に設けられた電子部品により基板用コネクタが囲まれるためＬ型の同軸コネクタが引き抜きにくくなっていた。この問題点を解決するために、例えば、テープの中央に孔を開けて同軸コネクタの先端を突出させて、テープの後端部を互いに粘着材で貼り合わせてタブを形成したものが提案されている（例えば、特許文献１参照。）。
【０００４】
また、プラグをコンセントから安全に引く抜くために、柔軟性を有する合成樹脂製の環状の帯状体から構成され、プラグ本体の先端面に突出するプラグ端子を挿通可能な２個のプラグ端子挿通孔が設けられると共に、プラグ本体を挿通可能な切り込みが、帯状体の周方向に沿って形成されており、前記切り込みが、前記プラグ端子挿通孔と対向する位置に設けられているものが提案されている（例えば、特許文献２参照。）。
【特許文献１】実開昭６２−３１３８１号公報
【特許文献２】実用新案登録第３１２３５６９号公報
【発明の開示】
【発明が解決しようとする課題】
【０００５】
しかしながら、特許文献１に記載の発明では、同軸コネクタを引き抜くときには、タブを摘む必要があり、指を掛けて引き抜けず、基板コネクタと同軸コネクタとの嵌合が固い場合には、引き抜き難いという問題点があった。また、テープが一重であり、強く引っ張ると、中央の孔からテープが裂けて、同軸コネクタからテープが外れてしまうという問題点があった。
【０００６】
また、特許文献２に記載の発明では、予め帯状体に形成しておく必要があり、製造に工数がかかるという問題点もあった。
【０００７】
本発明は上述の課題を解決するためになされたものであり、十分な強度を備えたプラグ外し補助具を提供すること及びプラグが嵌められて電源が供給される装置の使用者によって組み立てることが可能なプラグ外し補助具を提供することを目的とする。
【課題を解決するための手段】
【０００８】
上記目的を達成するために、請求項１に係る発明のプラグ外し補助具では、電源が供給される装置に装着されるプラグを取り外すプラグ外し補助具において、柔軟性を有する帯状体と、前記帯状体の一端部側に設けられ、前記プラグの本体から突出するプラグ端子を挿通可能な第一挿通孔と、前記帯状体の他端部側に設けられ、前記プラグ端子を挿通可能な第二挿通孔と、前記帯状体の前記一端部側を前記他端部側に接着する接着部材とを備え、前記第一挿通孔及び前記第二挿通孔に前記プラグ端子を挿入して、前記接着部材により前記帯状体の一端部側を他端部側に接着したときに、指を挿入可能な指掛け部が前記帯状体により形成されることを特徴とする。
【０００９】
また、請求項２に係る発明のプラグ外し補助具では、請求項１に記載の発明の構成に加えて、前記帯状体の前記第一挿通孔と前記第二挿通孔との間には、前記プラグ端子を挿通可能な１乃至複数個の第三挿通孔が設けられていることを特徴とする。
【００１０】
また、請求項３に係る発明のプラグ外し補助具は、請求項１又は２に記載の発明の構成に加えて、前記各挿通孔は、熱処理によりほつれ防止加工がなされていることを特徴とする。
【発明の効果】
【００１１】
請求項１に係る発明のプラグ外し補助具では、指掛け部に指をかけてプラグ端子が挿入された装置からプラグを容易に取り外すことができる。また、前記第一挿通孔及び前記第二挿通孔に前記プラグ端子を挿入しているので、強度を高めることができる。さらに、プラグが嵌め込まれて、電源が供給される装置の使用者によって組み立てることが可能である。
【００１２】
また、請求項２に係る発明のプラグ外し補助具では、前記帯状体の前記第一挿通孔と前記第二挿通孔との間には、前記プラグ端子を挿通可能な１乃至複数個の第三挿通孔が設けられているので、プラグ端子を通す孔の部分では、帯状体を三重に重ねることができるので、プラグ外し補助具に十分な強度を持たせることができる。
【００１３】
また、請求項３に係る発明のプラグ外し補助具では、各挿通孔は、熱処理によりほつれ防止加工がなされているので、挿通孔がほつれて裂けることを防止できる。
【発明を実施するための最良の形態】
【００１４】
以下、本発明の第一の実施形態であるプラグ外し補助具について、図面を参照して説明する。まず、図１を参照して、可搬型プリンタ１の構造を説明する。図１は、可搬型プリンタ１の背面側から見た斜視図である。この可搬型プリンタ１は、略直方体の棒状に形成された筐体２から構成されている。この筐体２の端部の上面に電源スイッチ３が設けられ、電源スイッチ３が設けられた側と反対側の端部の背面４には、電源ジャック５が設けられている。また、電源ジャック５の横（図１に於ける右横）には、電池蓋６が設けられ、内部に充電池（図示外）が内蔵されている。
【００１５】
次に、図２を参照して、電源プラグ１０の構造について説明する。図２は、電源プラグ１０の右側面図である。電源プラグ１０は、直流（ＤＣ）用のＬ型プラグである。この電源プラグ１０は、プラグ本体１１と当該プラグ本体１１の前面の上側に円錐台状に突出した台部１２と、当該台部１２から突出した円筒形の金属製のプラグ端子１３と、プラグ本体１１に設けられた補強部材１４と、電源コード１５とから構成されている。この電源プラグ１０により可搬型プリンタ１に電源が供給されて、内蔵された充電池が充電される。尚、電源コード１５の他端部には、ＡＣアダプタ（図示外）が設けられ、交流電源から所定の電圧の直流電源を作るようになっている。
【００１６】
次に、図３乃至図５を参照して、プラグ外し補助具２０の使用状態を説明する。図３は、電源プラグ１０にプラグ外し補助具２０を装着した状態の斜視図である。図４は、電源プラグ１０にプラグ外し補助具２０を装着した状態の平面図である。図５は、プラグ外し補助具２０が装着された電源プラグ１０を可搬型プリンタ１の電源ジャック５に嵌め込んだ状態の斜視図である。
【００１７】
図３乃至図５に示すように、プラグ外し補助具２０は、繊維や合成樹脂製のテープから構成され、複数の挿通孔が重なるように編着テープで貼り合わされている。そして、当該挿通孔に電源プラグ１０のプラグ端子１３が挿通されている。また、プラグ外し補助具２０が装着された電源プラグ１０は、可搬型プリンタ１の電源ジャック５にプラグ端子１３を嵌め込まれるので、掴む部分の小さいＬ型プラグである電源プラグ１０も容易に引き抜くことができる。
【００１８】
次に、図６を参照して、第一の実施の形態としてのプラグ外し補助具２０の構造を説明する。図６は、プラグ外し補助具２０を展開した状態の平面図である。図６に示すように、プラグ外し補助具２０は、平面視、長方形に形成された帯状の基材２１から構成されている。この基材２１としては、繊維や合成樹脂製のテープを用いることができる。繊維の一例としては、ポリエステルクロスの帯を用いることが出来る。
【００１９】
そして、その基材２１上の一端部（図６の上端部）に、第一挿通孔２２が穿設され、反対側の端部（図６の下端部）に、第二挿通孔２３が穿設されている。なお、第一挿通孔２２及び第二挿通孔２３は、熱処理により開口されたもので、開口端部が一度熔解した後に固まって繊維がほつれないように、ほつれ防止加工がなされている。この第一挿通孔２２及び第二挿通孔２３の開口径は、電源プラグ１０のプラグ端子１３の直径と同じかやや小さめに形成されている。このため、プラグ端子１３を第一挿通孔２２及び第二挿通孔２３に挿入した後は、プラグ端子１３が第一挿通孔２２及び第二挿通孔２３から抜けにくくなっている。
【００２０】
また、図６に示すように、基材２１上で、第一挿通孔２２を挟むように、両面テープ２４と両面テープ２５とが貼り付けられている。また、基材２１上で、第二挿通孔２３の外側（図６の下側）にも、両面テープ２６が貼り付けられている。尚、両面テープ２４、両面テープ２５及び両面テープ２６は、プラグ外し補助具２０の使用前の状態（組み立て前の状態）では、その表面に剥離紙（図示外）が貼り付けられている。
【００２１】
次に、図４乃至図６を参照して、プラグ外し補助具２０の使用方法について説明する。まず、図６に示す両面テープ２４の剥離紙及び両面テープ２５の剥離紙を剥がす。ついで、第一挿通孔２２に電源プラグ１０のプラグ端子１３を挿入し、図４に示すように、両面テープ２４及び両面テープ２５を電源プラグ１０のプラグ本体１１の両側面に各々貼り付ける。ついで、基材２１を環状にして、第二挿通孔２３にプラグ端子１３を挿入し、両面テープ２６の剥離紙を剥がして、基材２１の端部をプラグ本体１１の側面に貼り付けられている基材２１上に貼り付ける。すると、基材２１が環状になり、指を掛けるための空間３０が形成される。そして、図５に示すように、電源プラグ１０を可搬型プリンタ１の電源ジャック５に嵌め込む。
【００２２】
尚、上記のようにして組み立てたプラグ外し補助具２０は、図７に示すように、可搬型プリンタ１の筐体２が保護用のシリコンゴム製のカバー８に覆われていても、プラグ外し補助具２０の空間３０に指を入れて引くことにより容易に電源プラグ１０を電源ジャック５から引き抜くことができる。
【００２３】
次に、図８及び図９を参照して、プラグ外し補助具２０の第二の実施の形態の構造を説明する。図８は、第二の実施の形態のプラグ外し補助具２０を展開した状態の平面図である。図９は、第二の実施の形態のプラグ外し補助具２０を装着した状態の電源プラグ１０の平面図である。図８に示すように、第二の実施の形態のプラグ外し補助具２０も、平面視、長方形に形成された帯状の基材２１から構成されている。基材２１の材質は、第一の実施の形態と同じである。
【００２４】
そして、第二の実施の形態の基材２１は、第一の実施の形態の基材２１よりも一巻き分長く形成されている。基材２１の一端部（図８の上端部）に、第一挿通孔２２が穿設され、反対側の端部（図８の下端部）に、第二挿通孔２３が穿設されている。なお、第一挿通孔２２及び第二挿通孔２３は、熱処理により開口されたもので、開口端部が一度熔解した後に固まって繊維が解れないようになっている。この第一挿通孔２２及び第二挿通孔２３の開口径は、第一の実施の形態と同様に電源プラグ１０のプラグ端子１３の直径と同じかやや小さめに形成されている。
【００２５】
また、図８に示すように、基材２１上で、第一挿通孔２２を挟むように、両面テープ２４と両面テープ２５とが貼り付けられている。また、基材２１上で、第二挿通孔２３の外側（図８の下側）にも、両面テープ２６が貼り付けられている。さらに、基材２１のほぼ真中に、第三挿通孔２７が熱処理により開口されている。第三挿通孔２７の開口径は、第一挿通孔２２及び第二挿通孔２３と同様に電源プラグ１０のプラグ端子１３の直径と同じかやや小さめに形成されている。
【００２６】
次に、図８及び図９を参照して、プラグ外し補助具２０の使用方法について説明する。まず、図８に示す両面テープ２４の剥離紙及び両面テープ２５の剥離紙を剥がす。ついで、第一挿通孔２２に電源プラグ１０のプラグ端子１３を挿入し、図９に示すように、両面テープ２４及び両面テープ２５を電源プラグ１０のプラグ本体１１の両側面に各々貼り付ける。ついで、基材２１を環状にして、第三挿通孔２７にプラグ端子１３を挿入し、更に基材２１を一巻きし、第二挿通孔２３にプラグ端子１３を挿入し、両面テープ２６の剥離紙を剥がして、基材２１の端部をプラグ本体１１の側面に貼り付けられている基材２１上に貼り付ける。すると、基材２１が環状になり、指を掛けるための空間３０が形成される。この第二の実施の形態のプラグ外し補助具２０では、指を掛ける部分が二重になり強度が高まる。また、プラグ端子１３が挿通される部分は、三重になるので、挿通孔部分の強度も高まる。
【００２７】
次に、図１０及び図１１を参照して、プラグ外し補助具２０の第三の実施の形態の構造を説明する。図１０は、第三の実施の形態のプラグ外し補助具２０を展開した状態の平面図である。図１１は、第三の実施の形態のプラグ外し補助具２０を装着した状態の電源プラグ１０の平面図である。図１０に示すように、第三の実施の形態のプラグ外し補助具２０も、平面視、長方形に形成された帯状の基材２１から構成されている。基材２１の材質は、第一及び第二の実施の形態と同じである。
【００２８】
そして、第三の実施の形態の基材２１は、第二の実施の形態の基材２１よりも一巻き分長く形成されている。基材２１の一端部（図１０の上端部）に、第一挿通孔２２が穿設され、反対側の端部（図１０の下端部）に、第二挿通孔２３が穿設されている。なお、第一挿通孔２２及び第二挿通孔２３は、熱処理により開口されたもので、開口端部が一度熔解した後に固まって繊維が解れないようになっている。この第一挿通孔２２及び第二挿通孔２３の開口径は、第一の実施の形態と同様に電源プラグ１０のプラグ端子１３の直径と同じかやや小さめに形成されている。
【００２９】
また、図１０に示すように、基材２１上で、第一挿通孔２２を挟むように、両面テープ２４と両面テープ２５とが貼り付けられている。また、基材２１上で、第二挿通孔２３の外側（図１０の下側）にも、両面テープ２６が貼り付けられている。さらに、基材２１上で第一挿通孔２２と第二挿通孔２３との間の第一挿通孔２２から３分の１の位置に第三挿通孔２７が熱処理により開口され、基材２１上で第一挿通孔２２と第二挿通孔２３との間の第二挿通孔２３から３分の１の位置に、第四挿通孔２８が熱処理により開口されている。第三挿通孔２７及び第四挿通孔２８の開口径は、第一挿通孔２２及び第二挿通孔２３と同様に電源プラグ１０のプラグ端子１３の直径と同じかやや小さめに形成されている。
【００３０】
次に、図１０及び図１１を参照して、プラグ外し補助具２０の使用方法について説明する。まず、図１０に示す両面テープ２４の剥離紙及び両面テープ２５の剥離紙を剥がす。ついで、第一挿通孔２２に電源プラグ１０のプラグ端子１３を挿入し、図１１に示すように、両面テープ２４及び両面テープ２５を電源プラグ１０のプラグ本体１１の両側面に各々貼り付ける。ついで、基材２１を環状にして、第三挿通孔２７にプラグ端子１３を挿入し、更に基材２１を一巻きし、基材２１を環状にして、第四挿通孔２８にプラグ端子１３を挿入し、更に基材２１を一巻きし、第二挿通孔２３にプラグ端子１３を挿入し、両面テープ２６の剥離紙を剥がして、基材２１の端部をプラグ本体１１の側面に貼り付けられている基材２１上に貼り付ける。すると、基材２１が環状になり、指を掛けるための空間３０が形成される。この第三の実施の形態のプラグ外し補助具２０では、指を掛ける部分が三重になり強度が高まる。また、プラグ端子１３が挿通される部分は、四重になるので、挿通孔部分の強度も高まる。
【００３１】
尚、本発明のプラグ外し補助具は、上記の実施形態に限られず、各種の変形が可能なことはいうまでもない。例えば、挿通孔の数は二つ以上であれば、任意の数を設けることができる。例えば、第五挿通孔等を設けて指を掛ける部分を四重、プラグ端子１３が挿通される部分を、五重にしても良い。また、プラグ外し補助具２０は伸ばしたまま、可搬型プリンタ１に添付して、使用者に組み立てて貰っても、また、予め組み立てて、電源プラグ１０に装着して出荷しても何れでも良い。さらに、本発明は、上記可搬型プリンタに限られず、外部から電源が供給される各種の電子機器に適用できる。
【図面の簡単な説明】
【００３２】
【図１】可搬型プリンタ１の背面側から見た斜視図である。
【図２】電源プラグ１０の右側面図である。
【図３】電源プラグ１０にプラグ外し補助具２０を装着した状態の斜視図である。
【図４】電源プラグ１０にプラグ外し補助具２０を装着した状態の平面図である。
【図５】プラグ外し補助具２０が装着された電源プラグ１０を可搬型プリンタ１の電源ジャック５に嵌め込んだ状態の斜視図である。
【図６】プラグ外し補助具２０を展開した状態の平面図である。
【図７】プラグ外し補助具２０の使用状態を示す斜視図である。
【図８】第二の実施の形態のプラグ外し補助具２０を展開した状態の平面図である。
【図９】第二の実施の形態のプラグ外し補助具２０を装着した状態の電源プラグ１０の平面図である。
【図１０】第三の実施の形態のプラグ外し補助具２０を展開した状態の平面図である。
【図１１】第三の実施の形態のプラグ外し補助具２０を装着した状態の電源プラグ１０の平面図である。
【符号の説明】
【００３３】
１  可搬型プリンタ
２  筐体
３  電源スイッチ
５  電源ジャック
８  カバー
１０  電源プラグ
１１  プラグ本体
１２  台部
１３  プラグ端子
１４  補強部材
１５  電源コード
２０  プラグ外し補助具
２１  基材
２２  第一挿通孔
２３  第二挿通孔
２４  両面テープ
２５  両面テープ
２６  両面テープ
２７  第三挿通孔
２８  第四挿通孔
【図１】
2010118226.tif 000003
【図２】
2010118226.tif 000004
【図３】
2010118226.tif 000005
【図４】
2010118226.tif 000006
【図５】
2010118226.tif 000007
【図６】
2010118226.tif 000008
【図７】
2010118226.tif 000009
【図８】
2010118226.tif 000010
【図９】
2010118226.tif 000011
【図１０】
2010118226.tif 000012
【図１１】
2010118226.tif 000013